(57)【要約】      （修正有）【課題】ＬＥＤの光と微細凹凸印刷加工されたプラスチックフィルムを組み合わせ、より目立つ光で、安全に寄与する光信号灯機器を提供する。【解決手段】微細凹凸印刷を施したフィルムはエンボス技術を印刷でプラスチックフィルムに施した物で、ＬＥＤの光を当てるとＬＥＤ１個の球が複数に映し出されると共に、見る角度や光の当て方で発色する。透明プラスチックパイプ２の内面にこの微細凹凸印刷されたプラスチックフィルム３を設置し、透明パイプの中央部にはＬＥＤ４が裏表両面に取り付けられた回路基板５を設置する。光信号灯を自転車又はオートバイ等、設置面積が狭い場所でも取り付けられるように、ＬＥＤはチップ型を採用し、操作スイッチ６付き電源部と光発生部を別々にして、光発生部は後部に電源部はハンドルに取り付けるようにしてもよい。【選択図】図１
0003203827.tif 000002
【実用新案登録請求の範囲】
【請求項１】
電池収納部と透明プラスチックパイプ、又は一部分透明プラスチック部を備えた機器本体の透明部の内面に、微細凹凸印刷加工されたプラスチックフィルムを設置し、そのフィルムの内面から離れた内側位置に、発光ダイオードが取り付けられた回路基板が配置され、又、機器の透明部以外の外面部位に永久磁石を備えた光信号灯機器。
【請求項２】
操作スイッチを持つ電源と配線で接続する個別光発生器から成る機器に於いて、光発生器本体の透明部位の内面に微細凹凸印刷加工されたフィルムを設置し、そのフィルムの内面から離れた内側位置に、発光ダイオードが取り付けられた回路基板が設置された光信号灯機器。
【考案の詳細な説明】
【技術分野】
【０００１】本発明は、目立つ光信号灯機器として交通誘導灯の他、自転車を含む車両等の尾灯、機械装置に装着されている、パトライト、種々の注意灯、表示灯として使用出来る光信号機器を提案するものである。
【背景技術】
【０００２】  現在使われている種々の交通誘導灯に於いて、目立つ光にする為に光発光部のプラスチックカバーを赤色半透明にする方法、光源を２色にして数多く使用方法、光源に反射板を装着する方法が採用されている。
【考案が解決しようとする課題】
【０００３】  ［０００２］で述べた様々な目立つ光にする方法は、いずれも目立つ光としての性能は更に改善の余地があり、又、部品数が多くなる方法で、製造工数並びに部品コストも高く、改善が必要である。特に車両等、安全向上に貢献する機器は多くの人に採用してもらう為にはコストも重要な課題である。
【考案の概要】
【０００４】  本発明は、光ディスク製作に用いられるエンボス技術をプラスチックフィルムにナノサイズまで微細に印刷技術で加工されたプラスチックフィルム（以下、ナノインプリントフィルム呼称）とＬＥＤの点灯光を組み合わせた、警告灯、誘導灯、信号灯、等に採用出来る信号灯器具に関する物である。
【０００５】  ナノインプリントフィルムは微細エンボスにより、ナノマイクロの複合パターンで発色し、見る角度や光の当て方で色が変わる機能が得られ、光の当てる範囲を大きくすると、例えばＬＥＤ１灯の球灯が複数個に増大して見える機能が得られ、又、ナノインプリントフィルム面からＬＥＤの設置が、近くより、遠いい方がＬＥＤの光はナノインプリントフィルムに広範囲当たり、広範囲に発色させる事が出来る為、図面１〜３のナノインプリントとＬＥＤの図示Ａの距離は透明プラスチックカバーの大きさを考慮して決めるものである。
【考案の効果】
【０００６】  本発明品は目立つ光を長時間、発光出来る性能があり、例えば、自動車に備えられている発堙筒に加え、備える機器として、又、大きさの自由度を生かし、自転車の尾灯として、等、交通安全の向上に寄与すると共に、あらゆる信号灯に採用出来る可能性のある技術である。
【図面の簡単な説明】
【０００７】
【図１】  本発明光信号灯機器の構造説明図である（実施例１）
【図２】  本発明光信号灯機器の構造説明図である（実施例２）
【図３】  本発明光信号灯機器の構想説明図である（実施例３）
【符号の説明】
【０００８】    図面１  は実施例１の図面である
［図１］  実施例１の構造断面図である
１  透明プラスチックパイプ
２  微細凹凸印刷されたプラスチックフィルム
３  回路基板
４  ＬＥＤ
５  永久磁石（３箇所）
６  点灯スイッチ
７  電池
８  本体ハウジング
［図２］  Ｂ−Ｂ断面図である
符号Ａは微細凹凸印刷されたプラスチックフィルムとＬＥＤとの距離
図面２  は実施例２の図面である
［図１］  実施例２の構造図である
符号Ａは微細凹凸印刷されたプラスチックフィルムとＬＥＤとの距離
１０１  透明プラスチックパイプ
１０２  微細凹凸印刷されたプラスチックフィルム
１０３  回路基板
１０４  ＬＥＤ
１０５  磁石
１０６  電源スイッチ
１０７  電池
１０８  ブザー
［図３］  実施例２のＢ−Ｂ断面図である
図面３  は実施例３の図面である
［図１］  は光発生部の上面図である
［図２］  は光発生部の側面構造図である
符号Ａ  は微細凹凸印刷されたプラスチックフィルムとＬＥＤとの距離
３０１  透明プラスチック
３０２  微細凹凸印刷されたプラスチックフィルム
３０３  回路基板
３０４  チップＬＥＤ
［図３、４］は光発生部と接続する電源ユニット図である
0003203827.tif 000003
0003203827.tif 000004
0003203827.tif 000005
【手続補正書】
【提出日】平成28年2月25日(2016.2.25)
【手続補正１】
【補正対象書類名】実用新案登録請求の範囲
【補正対象項目名】全文
【補正方法】変更
【補正の内容】
【実用新案登録請求の範囲】
【請求項１】
一端に電源を収納した握り部と、透明カバーとＬＥＤからなる光源を有した照光部とからなる光信号灯機器で有って、前記透明カバーの内壁面に微細凹凸構造を有した透明プラスチックフィルムを設置した事を特徴とする光信号灯機器。
【請求項２】
請求項目１の握り部の端部と照光部の端部に永久磁石を備えた光信号灯機器。
【手続補正２】
【補正対象書類名】明細書
【補正対象項目名】全文
【補正方法】変更
【補正の内容】
【考案の詳細な説明】
【技術分野】
【０００１】  本発明は、非常信号灯、交通誘導灯として視認性に優れた光信号灯機器に関する。
【背景技術】
【０００２】  従来の光信号灯の視認性を高める為、光源を多色にする方法、反射鏡を設ける方法、照光部の半透明のカバーを工夫しているものもある。
【先行技術文献】
【特許文献】
【０００３】  非常信号灯
【特許文献１】  実登  ３１９８４７１
【特許文献２】  実登  ３０１８７０３
【特許文献３】  実登  ３１５１４３７
【特許文献４】  実登  ３１６１３７３
【０００４】  交通誘導灯
【特許文献１】  実願平７−２０８９６３
【特許文献１】  実願平８−３０９８６７
【特許文献２】  実願平９−９６３２８
【考案の概要】
【考案が解決使用とする課題】
【０００５】  以上で述べた非常信号灯、交通誘導灯の視認性向上方法は、構成部品数が多く、複雑でコスト高になっている。
【０００６】  考案機器を事故等の非常信号灯に使用する他、注意灯、誘導灯等、様々な使用の際の装着性を考慮する。
【課題を解決する為の手段】
【０００７】  少ない部品数で更に視認性の優れた機器にする為に、光ディスク技術に使用されている微細凹凸技術をプラスチックフィルムに施し、光プリズム効果を採用するものである。
【０００８】  本考案光信号灯機器を様々な装着場所を考慮して永久磁石を採用し，その配置を考慮した。
【考案の効果】
【０００９】  上記微細凹凸構造を有するプラスチックフィルムは、光源が白色であっても虹色に映し出され、光の当て方でＬＥＤ１個の球は６個に増量、増大して映し出される事で、ＬＥＤの少ない数で広範囲の視認性に優れた照光部が可能になった。
【００１０】  上記で述べたＬＥＤの部品数の削減により、部品コスト、製作工数の減少により安価な機器の提供が可能になった。
【００１１】  又、ＬＥＤ光源数の削減は消費電力の削減により長時間使用出来ると共に軽量により機器の装着は永久磁石の採用も可能になった。
【図面の簡単な説明】
【００１２】
【図１】  本発明の実施例の部品配置を表す側面断面図である
【図２】  図１におけるＡ−Ａ線断面図である
【考案を実施する為の形態】
【００１３】  以下本発明を実施の形態図１で説明する。
【００１４】  図に於いて１は電源が収納できる握り部で端面６のスイッチでＬＥＤを点灯し、手振りで本器具を使用する他、自動車及び建物等の金属部に７、８の永久磁石で本器具を横向きに設置する他、永久磁石９で縦向きに設置する事が出来る。
【符号の説明】
【００１５】  １  電源が収納できる握り部
２  透明プラスチックパイプ
３  微細凹凸構造を有するプラスチックフィルム
４  ＬＥＤ
５  回路基板
６  電源スイッチ
７  永久磁石
８  永久磁石
９  永久磁石
【手続補正３】
【補正対象書類名】図面
【補正対象項目名】全図
【補正方法】変更
【補正の内容】
【図１】
0003203827.tif 000006
【図２】
0003203827.tif 000007